(57)【要約】
【課題】使い心地が自在で優れた伝送効果を提供するべく光学マウスを提供する。
【解決手段】外殻１０、回路板２０、レンズ部３０より構成し、該外殻１０には上蓋１１と底部１２とを含むが、該底部１２上には穿孔１２１を設け、該回路板２０を該外殻１０内に固定し、また該回路板２０には探知器２１を設け、更に該探知器２１下方には受信部２１１と発光ダイオード２１２を隣接させて設け、該発光ダイオード２１２のチップ２１３上方周縁には導線２１５を配線するべくソルダーパッド２１４を設け、且つ該探知器２１の受信部２１１を該底部１２上の穿孔１２１に対応した個所に設け、該レンズ部３０を該底部１２上に設置し、該発光ダイオード２１２の光源を安定した状態で維持する。
【選択図】　　　　図２
0003099114.tif 000002
【実用新案登録請求の範囲】
【請求項１】
　外殻と回路板とレンズ部とより構成される光学マウスの構造において、
　上蓋と、上方に穿孔を具有する底部とより構成される前記外殻と、
　前記外殻内に固定されており、探知器が設けられており、下方には受信部と発光ダイオードが隣接して設けられており、該発光ダイオードのチップ上方周縁には導線を配線するべくソルダーパッドが設けられており、該探知器の受信部が該底部上の穿孔に対応した個所に設置されている該回路板と、
　前記外殻の底部上に設けられており、上方には該発光ダイオード下方にて傾斜した状態で設けられた反射部、並びに該探知器の受信部下方に設置されたレンズが設けられており、該レンズ下方が該底部の穿孔に対応した個所に位置している該レンズ部とを具有し、
　前記発光ダイオードによって安定した光源が提供され、前記レンズ部及び受信部を通して該探知器にまで伝送されることを特徴とする光学マウスの構造。
【請求項２】
　前記レンズ部は前記発光ダイオード下方にて第一レンズが設けられており、前記反射部は該第一レンズ下方にて傾斜した状態で設けられていることを特徴とする請求項１記載の光学マウスの構造。
【考案の詳細な説明】
【技術分野】
【０００１】
　本考案は光学マウスの構造に係り、特に均衡のとれた光を発する発光ダイオードを光源とし、レンズ部を通して受信部、更に探知器にまで伝送されることで、伝送効果に優れた光学マウス、或いはこれに類似するものの構造に関わる。
【背景技術】
【０００２】
　従来公知におけるマウスは、上蓋と底部とより構成される外殻と、回路板とによって構成されている。該外殻の底部には孔が設けられており、該底部上には該回路板が設けられており、該回路板上には軌道モジュールが設けられている。該軌道モジュールは該底部の孔に対応しており、該軌道モジュール内にはボールが設けられている。該回路板には導線が連結されており、且つ該導線のもう一端にはコネクタが設けられてコンピュータ上に挿し込まれる個所が提供されている。該ボールの動きによって軌道モジュールがコントロールされ、ポインタの位置でクリックされるとシグナルがコンピュータのホストに伝送されてシグナルを伝送する目的が達成されている。しかしこのような公知におけるマウスでは、上述の回路に連結された導線のもう一端のコネクタをコンピュータのホストに連結させなければならないことより、マウスをコンピュータのホストと連結させた後、卓上などの反射面の空間を導線が占拠してしまう。よってマウスは導線の制限を受けて自在に動けないといった欠点がある。また該マウス内の軌道モジュールもボールの長期にわたる使用により、塵や埃が該モジュール内に入り込んでしまい、接触不良を起こしやすいことが言える。
【０００３】
　そこで、既に光学マウスが開発されており(例えば、特許文献１)、これは主に底部と上蓋及び回路板とより構成されており、該回路板は該底部に固定されており、また該回路板及び底部の中央個所にはそれぞれ穿孔が開設されており、且つ該回路板上には発光ダイオードが設けられている。該発光ダイオードは曲折してスロット付近に隣接しており、該回路板上には探知器が設けられており、該探知器の受信部はスロットに対応した個所に設けられている。該底部と該回路板間には該発光ダイオードに対応したレンズ部が設けられており、光源によるシグナルが該レンズ部の数次に及ぶ屈折を経て該探知器の受信部に至る仕組みとなっている。
【０００４】
　しかし、上述のような公知における光学マウスは、図１に示すように、チップ１上のソルダーパッド２は該チップ1上方中央部に設けられており、よって放たれる光源は該ソルダーパッド２によって遮られてしまうことで中央位置に暗いゾーンを形成してしまう、つまり光源による照射にばらつきが出易く、また光源は該レンズ部の各レンズ及び反射面を経てから探知器に伝送されるため、光源が分散することによる光源の浪費といった欠点もあげられる。
【特許文献１】特許２５２６１１４号公報
【考案の開示】
【考案が解決しようとする課題】
【０００５】
　本考案は、上記の問題点に鑑みてなされたもので、その課題は使い心地がよく、操作も自在で、優れた伝送効果を提供するべく本考案の光学マウスを提供するものである。
【課題を解決するための手段】
【０００６】
　前記課題を解決するために、請求項１の考案は、外殻と回路板とレンズ部とより構成される光学マウスの構造において、上蓋と、上方に穿孔を具有する底部とより構成される前記外殻と、前記外殻内に固定されており、探知器が設けられており、下方には受信部と発光ダイオードが隣接して設けられており、該発光ダイオードのチップ上方周縁には導線を配線するべくソルダーパッドが設けられており、該探知器の受信部が該底部上の穿孔に対応した個所に設置されている該回路板と、前記外殻の底部上に設けられており、上方には該発光ダイオード下方にて傾斜した状態で設けられた反射部、並びに該探知器の受信部下方に設置されたレンズが設けられており、該レンズ下方が該底部の穿孔に対応した個所に位置している該レンズ部とを具有し、前記発光ダイオードによって安定した光源が提供され、前記レンズ部及び受信部を通して該探知器にまで伝送されることを特徴とする光学マウスの構造である。
　請求項２の考案は、前記レンズ部は前記発光ダイオード下方にて第一レンズが設けられており、前記反射部は該第一レンズ下方にて傾斜した状態で設けられていることを特徴とする請求項１記載の光学マウスの構造である。
【０００７】
　すなわち、上記各考案は、外殻、回路板、レンズ部より構成し、該外殻には上蓋と底部とを含むが、該底部上には穿孔を設け、該回路板を該外殻内に固定し、また該回路板には探知器を設け、更に該探知器下方には受信部と発光ダイオードを隣接させて設け、該発光ダイオードのチップ上方周縁には導線を配線するべくソルダーパッドを設け、且つ該探知器の受信部を該底部上の穿孔に対応した個所に設け、該レンズ部を該底部上に設置し、該発光ダイオードの光源を安定した状態に維持することを最も主要な特徴とする。
【考案の効果】
【０００８】
　本考案によると、発光ダイオードの提供する安定した光源が、レンズ部と受信部を通して探知器に伝送されることで、優れた伝送効果が得られる。
【考案を実施するための最良の形態】
【０００９】
　本考案は、外殻、回路板、レンズ部より構成し、該外殻には上蓋と底部とを含み、底部上には穿孔を設け、回路板を該外殻内に固定し、また、回路板には探知器を設け、更に該探知器下方には受信部と発光ダイオードを隣接させて設け、発光ダイオードのチップ上方周縁には導線を配線するべくソルダーパッドを設け、且つ探知器の受信部を底部上の穿孔に対応した個所に設け、該レンズ部を底部上に設置し、該発光ダイオードの光源を安定した状態に維持することを実現した。
【実施例】
【００１０】
　本考案の実施例を図面に沿って説明するが、図２から図５に示すように、本考案の光学マウスにはまず外殻１０を含み、該外殻１０は上蓋１１及び底部１２より構成されるものであり、且つ該底部１２上には穿孔１２１が開設されている。
【００１１】
　回路板２０は、該外殻１０内に固定されており、該回路板２０上には該底部１２の穿孔１２１に相対したスロット２２が設けられている。該スロット２２には探知器２１が設けられており、該探知器２１下方には受信部２１１及び発光ダイオード　２１２が隣接して設けられている。該発光ダイオード２１２のチップ２１３上方周縁には導線２１５を配線するべくソルダーパッド２１４が設けられており、且つ該探知器２１の受信部２１１は該底部１２上の穿孔１２１に対応した設計となっている。
【００１２】
　レンズ部３０においては、該外殻１０の底部１２上に設置されており、該レンズ部３０上には第一レンズ３１、反射部３２及び第二レンズ３３が設けられている。該第一レンズ３１は該発光ダイオード２１２下方に位置する個所に設けられており、該反射部３２は該第一レンズ３１下方にて傾斜した形で設置されており、該第二レンズ３３においては該探知器２１の受信部２１１下方に設けられている。またこのとき該第二レンズ３３の下方は該底部１２の穿孔１２１に相対する個所に位置する。
【００１３】
　上述の構造により、図２から図６に示すように、本考案の特徴は該探知器２１下方に設けた発光ダイオード２１２において、該ソルダーパッド２１４を該チップ２１３上方周縁個所に設置し、該ソルダーパッド２１４に該導線２１５を設けることにより、該発光ダイオード２１２の光源は該チップ２１３上方より集中して照射され、該レンズ部３０に設けられた第一レンズ３１と反射部３２、並びに第二レンズ３３によって該探知器２１の受信部２１１にまで至る。マウスの移動によって反射面４０が変わるとICの演算によってコンピュータのホストにまでシグナルが伝送される。こうして該発光ダイオード２１２が優れた光源を提供することにより、該レンズ３０によって更に該受信部２１１及び探知器２１に至り、優れた伝送効果を達成することで、使用時に安定した伝送効果を提供する。
【００１４】
　図６に示すように、組み立てられて完成した本考案の光学マウスを使用する際には、該光学マウスを該反射面（机の表面など）４０上に置く。このとき該発光ダイオード２１２は絶え間なく光源を提供し、使用者が該光学マウスの位置を移動させると、該発光ダイオード２１２は該回路板２０上のスロット２２より光源を放ち、該レンズ部３０に設けられた第一レンズ３１によって該反射部３２にまで至らしめ、更に該底部１２の穿孔１２１を通して該反射面４０にまで光源が届き、屈折を経て該第二レンズ３３を通過し、最後は該探知器２１の受信部２１１にまで至り、こうして該反射面４０が変わることでICの演算を経てコンピュータのホストにまで伝送される。
【００１５】
　また図２，５，６中において、該レンズ部３０上にはそれぞれ第一レンズ３１、反射部３２及び第二レンズ３３が設けられているが、これは光源の効果を十分に引出すためであり、実際には必要に応じて該レンズ部３０上には反射部３２及びレンズ（即ち上述の第二レンズ３３）のみでもよく、該反射部３２は発光ダイオードの下方に傾斜した状態で設け、該レンズにおいては該探知器の受信部下方に設けるのであり、該レンズ下方は該底部の穿孔に対応した個所に位置させ、こうすることでも上述の実施例同様の光源導引の目的を達成することができる。
【図面の簡単な説明】
【００１６】
【図１】従来公知におけるチップの断面説明図である。
【図２】本考案の実施例における立体分解説明図である。
【図３】本考案の実施例における発光ダイオードの説明図である。
【図４】本考案の実施例におけるチップの断面説明図である。
【図５】本考案の実施例における断面説明図である。
【図６】本考案の実施例の動作を説明する断面図である。
【符号の説明】
【００１７】
１　チップ
２　ソルダーパッド
１０　外殻
１１　上蓋
１２　底部
１２１　穿孔
２０　回路板
２１　探知器
２１１　受信部
２１２　発光ダイオード
２１３　チップ
２１４　ソルダーパッド
２１５　導線
２２　スロット
３０　レンズ部
３１　第一レンズ
３２　反射部
３３　第二レンズ
４０　反射面
【図１】
0003099114.tif 000003
【図２】
0003099114.tif 000004
【図３】
0003099114.tif 000005
【図４】
0003099114.tif 000006
【図５】
0003099114.tif 000007
【図６】
0003099114.tif 000008